【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  励起信号に対してピッチエンハンスメントを実行する符号励起線型予測（ＣＥＬＰ）音声コーデックであって、
音声サブフレーム内に少なくとも１つのメインパルスを配置するように構成されたメインパルスコーディングモジュールと、
該音声コーデックに含まれた順方向ピッチエンハンスメント回路であって、該音声サブフレームに作用し、該音声サブフレーム内に少なくとも１つの順方向予測パルスを配置するようにさらに構成された順方向ピッチエンハンスメント回路と、
該音声コーデックに含まれた逆方向ピッチエンハンスメント回路であって、該音声サブフレームに作用し、該音声サブフレーム内に少なくとも１つの逆方向予測パルスを配置するようにさらに構成された逆方向ピッチエンハンスメント回路と
を備える、音声コーデック。
【請求項２】  前記順方向ピッチエンハンスメント回路および前記逆方向ピッチエンハンスメント回路は、再生のために協働して動作して前記励起信号の知覚品質を改善する、請求項１に記載の音声コーデック。
【請求項３】  前記順方向ピッチエンハンスメント回路および前記逆方向ピッチエンハンスメント回路は、再生のために独立して動作して前記励起信号の知覚品質を改善する、請求項１に記載の音声コーデック。
【請求項４】  励起信号に作用する符号励起線型予測（ＣＥＬＰ）ピッチエンハンスメントシステムであって、
音声サブフレーム内に少なくとも１つのメインパルスを配置するように構成されたメインパルスコーディングモジュールと、
該音声サブフレームに作用するように構成された逆方向ピッチエンハンスメント回路であって、該音声サブフレーム内に少なくとも１つの逆方向予測パルスを配置するようにさらに構成され、エンコーダとデコーダとの間に配置されている逆方向ピッチエンハンスメント回路と
該逆方向ピッチエンハンスメント回路に通信可能に接続された音声処理回路であって、該励起信号を操作するように構成された音声処理回路と
を備える、ピッチエンハンスメントシステム。
【請求項５】  前記逆方向ピッチエンハンスメント回路に通信可能に接続された順方向ピッチエンハンスメント回路であって、該音声サブフレームに作用し、該音声サブフレーム内に少なくとも１つの順方向予測パルスを配置するようにさらに構成された順方向ピッチエンハンスメント回路をさらに備える、請求項４に記載のピッチエンハンスメントシステム。
【請求項６】  前記順方向ピッチエンハンスメント回路および前記逆方向ピッチエンハンスメント回路は、再生のために協働して動作して前記励起信号の知覚品質を改善する、請求項５に記載のピッチエンハンスメントシステム。
【請求項７】  前記順方向ピッチエンハンスメント回路および前記逆方向ピッチエンハンスメント回路は、再生のために独立して動作して前記励起信号の知覚品質を改善する、請求項５に記載のピッチエンハンスメントシステム。
【請求項８】  励起信号に対して音声ピッチエンハンスメントを実行する符号励起線型予測（ＣＥＬＰ）方法であって、
音声サブフレーム内に少なくとも１つのメインパルスを配置することと、
該音声サブフレーム内に少なくとも１つの順方向予測パルスを配置することによって、該励起信号に対して順方向ピッチエンハンスメントを実行することと、
該音声サブフレーム内に少なくとも１つの逆方向予測パルスを配置することによって、該励起信号に対して逆方向ピッチエンハンスメントを実行することと
を包含する、方法。
【請求項９】  前記励起信号に対して順方向ピッチエンハンスメントを実行することと、前記励起信号に対して逆方向ピッチエンハンスメントを実行することとは、再生のために独立して実行されて該励起信号の知覚品質を改善する、請求項８に記載の方法。
【請求項１０】  前記励起信号に対して順方向ピッチエンハンスメントを実行することと、前記励起信号に対して逆方向ピッチエンハンスメントを実行することとは、再生のために協働して実行されて該励起信号の知覚品質を改善する、請求項８に記載の方法。
【請求項１１】  前記励起信号に対して順方向ピッチエンハンスメントを実行することと、前記励起信号に対して逆方向ピッチエンハンスメントを実行することとが、音声コーデックを用いて実行される、請求項８に記載の方法。
【請求項１２】  前記予測パルスの各々は、前記メインパルスよりも低いゲインを有する、請求項８に記載の方法。
【請求項１３】  前記逆方向予測パルスが前記順方向予測パルスを用いて生成される、請求項８に記載の方法。
【請求項１４】  前記逆方向予測パルスと前記順方向予測パルスとが前記メインパルスを用いて生成される、請求項８に記載の方法。
【請求項１５】  励起信号に対してピッチエンハンスメントを実行する符号励起線型予測（ＣＥＬＰ）音声コーデックであって、
音声サブフレーム内に少なくとも１つのメインパルスを配置するように構成されたエンコーダと、
該エンコーダに通信可能に結合された通信リンクと、
該通信リンクを介して該エンコーダに通信可能に結合されたデコーダと、
該音声コーデックに含まれた順方向ピッチエンハンスメント回路であって、該音声サブフレームに作用し、該音声サブフレーム内に少なくとも１つの順方向予測パルスを配置するようにさらに構成された順方向ピッチエンハンスメント回路と、
該音声コーデックに含まれた逆方向ピッチエンハンスメント回路であって、該音声サブフレームに作用し、該音声サブフレーム内に少なくとも１つの逆方向予測パルスを配置するようにさらに構成された逆方向ピッチエンハンスメント回路と
を備える、音声コーデック。
【請求項１６】  前記順方向ピッチエンハンスメント回路および前記逆方向ピッチエンハンスメント回路は、再生のために協働して動作して前記励起信号の知覚品質を改善する、請求項１５に記載の音声コーデック。
【請求項１７】  前記順方向ピッチエンハンスメント回路および前記逆方向ピッチエンハンスメント回路は、再生のために独立して動作して前記励起信号の知覚品質を改善する、請求項１５に記載の音声コーデック。
【請求項１８】  前記予測パルスの各々は、前記メインパルスよりも低いゲインを有する、請求項１に記載の音声コーデック。
【請求項１９】  前記逆方向予測パルスと前記順方向予測パルスとが前記メインパルスを用いて生成される、請求項１に記載の音声コーデック。
【請求項２０】  前記逆方向予測パルスが前記順方向予測パルスを用いて生成される、請求項１に記載の音声コーデック。
【請求項２１】  励起信号に作用する符号励起線型予測（ＣＥＬＰ）音声ピッチエンハンスメントシステムであって、
音声サブフレーム内に少なくとも１つのメインパルスを配置するように構成されたメインパルスコーディングモジュールと、
該音声サブフレームに作用するように構成された逆方向ピッチエンハンスメント回路であって、該音声サブフレーム内に少なくとも１つの逆方向予測パルスを配置するようにさらに構成された逆方向ピッチエンハンスメント回路と
を備える、音声ピッチエンハンスメントシステム。
【請求項２２】  前記逆方向ピッチエンハンスメント回路に通信可能に接続された順方向ピッチエンハンスメント回路であって、該音声サブフレームに作用し、該音声サブフレーム内に少なくとも１つの順方向予測パルスを配置するようにさらに構成された順方向ピッチエンハンスメント回路をさらに備える、請求項２１に記載の音声ピッチエンハンスメントシステム。
【請求項２３】  前記順方向ピッチエンハンスメント回路および前記逆方向ピッチエンハンスメント回路は、再生のために協働して動作して前記励起信号の知覚品質を改善する、請求項２２に記載の音声ピッチエンハンスメントシステム。
【請求項２４】  前記順方向ピッチエンハンスメント回路および前記逆方向ピッチエンハンスメント回路は、再生のために独立して動作して前記励起信号の知覚品質を改善する、請求項２２に記載の音声ピッチエンハンスメントシステム。